(57)【要約】【課題】集合住宅用インターホンシステムに遠隔検針機能を加え、住戸インターホン親機での簡単な操作で、ライフラインの使用量を知ることができるようにする。【解決手段】制御装置１３は、広域ネットワーク２０に接続するゲートウェイ装置１８を備え、住戸インターホン親機１１は、広域ネットワーク２０側にライフラインメータ１６の検針情報を送信するとともに、記憶部１１ｆに記憶し、所定の操作を受け付けると、記憶部１１ｆに記憶している検針情報から算出したライフラインの使用量を表示する。【選択図】図１
2012015944.tif 000002
【特許請求の範囲】
【請求項１】
ライフラインメータに接続された住戸インターホン親機と、ロビーインターホンと、それらの通信を制御する制御装置とを有し、前記住戸インターホン親機は、インターホン回線によって、前記制御装置に接続された集合住宅用インターホンシステムにおいて、
前記制御装置は、広域ネットワークに接続するゲートウェイ装置を備え、
前記住戸インターホン親機は、前記広域ネットワーク側に前記ライフラインメータの検針情報を送信するとともに、記憶部に記憶し、所定の操作を受け付けると、前記記憶部に記憶している検針情報から算出したライフラインの使用量を表示する集合住宅用インターホンシステム。
【請求項２】
請求項１において、
前記住戸インターホン親機は、前記ライフラインの使用量を算出する際には、前記記憶部に記憶している検針情報に所定の統計処理を施す集合住宅用インターホンシステム。
【請求項３】
請求項２において、
前記統計処理は、少なくとも、所定期間の通算使用量の算出を含んでいる集合住宅用インターホンシステム。
【発明の詳細な説明】
【技術分野】
【０００１】
本発明は、電力メータ、ガスメータ、水道メータ等の遠隔検針技術の集合住宅用インターホンシステムへの適用に関する。
【背景技術】
【０００２】
各住戸に設けた電力計測装置に、親機との間で通信を行う子機を付設し、子器は、電力計測装置で計測された使用電力を親機に通知し、親機は広域情報通信網を通して、上位管理装置に通知する構成とした遠隔検針システムが次の特許文献１に開示されている。このシステムは、集合住宅やオフィスビルのように１つの建物内に複数の電力計測装置が配置されている場合を想定しており、計量データの伝送経路として電力線が用いられている。このような電力線を用いた通信は、一般にＰＬＣ（Power Line Communication）と呼ばれている。
【先行技術文献】
【特許文献】
【０００３】
【特許文献１】特開2010-004263公報
【発明の概要】
【発明が解決しようとする課題】
【０００４】
しかしながら、上記特許文献１のようなシステムでは、電力計測装置から使用電力を自動的に読み出しているにも関わらず、居住者は、このシステムから直接、使用電力の値を知ることはできないという問題があった。
【０００５】
そこで、本発明は、集合住宅用インターホンシステムに遠隔検針機能を加え、住戸インターホン親機での簡単な操作で、ライフラインの使用量を知ることができる付加価値の高い集合住宅用インターホンシステムを提供することを目的とする。
【課題を解決するための手段】
【０００６】
本発明は、ライフラインメータに接続された住戸インターホン親機と、ロビーインターホンと、それらの通信を制御する制御装置とを有し、前記住戸インターホン親機は、インターホン回線によって、前記制御装置に接続された集合住宅用インターホンシステムにおいて、前記制御装置は、広域ネットワークに接続するゲートウェイ装置を備え、前記住戸インターホン親機は、前記ゲートウェイ装置および前記インターホン回線を通じて、前記広域ネットワーク側に前記ライフラインメータの検針情報を送信するとともに、記憶部に記憶し、所定の操作を受け付けると、前記記憶部に記憶している検針情報から算出したライフラインの使用量を表示することを特徴とする。
【０００７】
なお、前記住戸インターホン親機は、前記ライフラインの使用量を算出する際には、前記記憶部に記憶している検針情報に所定の統計処理を施すようにしてもよい。
【０００８】
また、前記統計処理は、少なくとも、所定期間の通算使用量の算出を含んでいてもよい。
【発明の効果】
【０００９】
本発明は、インターホンシステムにライフラインメータの遠隔検針機能を付加したものであり、住戸インターホン親機は、ライフラインメータの検針情報を広域ネットワーク側に送信するとともに、記憶部に記憶し、所定の操作を受け付けると、記憶している検針情報から算出したライフラインの使用量を表示する構成としている。そのため、住戸インターホン親機の操作だけで、ライフラインの使用量が確認できる。
【００１０】
また、ライフラインメータから読み出した検針情報から使用量を算出しているので、非常に正確な値が表示できる。そして、電力メータ等の装置を別途用意する必要がないので、コストも抑えられる。
【図面の簡単な説明】
【００１１】
【図１】本発明を適用した集合住宅用インターホンシステムの基本的なブロック図である。
【図２】住戸インターホン親機、アダプタ、およびライフラインメータの機能ブロック図である。
【図３】ゲートウェイ装置の機能ブロック図である。
【図４】遠隔検針における基本的な通信手順を時系列的に示したフロー図である。
【図５】ライフラインの使用量の表示例である。
【発明を実施するための形態】
【００１２】
図１に示しているインターホンシステム１は、住棟各部屋に設置される住戸インターホン親機１１と、共同玄関等に設置されるロビーインターホン１２と、管理人室等に設置される制御装置１３とで構成されている。そしてインターホンシステム１は、広域ネットワーク２０に接続するゲートウェイ装置１８を更に備えている。ここで、住戸インターホン親機１１は、インターホン回線１９によって制御装置１３に接続されている。
【００１３】
住戸インターホン親機１１は、表示部１１ｃとしてのモニタテレビと、記憶部１１ｆとを有し、ドアホン子器１４に接続されている。また、アダプタ１５を介して、ライフラインメータ１６に接続されている。ライフラインメータ１６は、例えば、電力メータやガスメータや水道メータ等であり、これらは住戸外のサービスヤードに設置されていてもよい。なお、アダプタ１５は住戸インターホン親機１１と別体としているが、一体に構成されてもよい。また、アダプタ１５は、ライフラインメータ１６と一体に構成されてもよい。
【００１４】
ロビーインターホン１２は、来客を撮影するビデオカメラ１７を備え、住戸インターホン親機１１の表示部１１ｃと共にテレビインターホンシステムを構成している。ここで、ロビーインターホン１２は１系統になっているが、大規模集合住宅等であれば、２系統以上としてもよい。なお、インターホンシステム１は、テレビインターホンシステムではなく、通話機能のみを備えたものでもよい。
【００１５】
ゲートウェイ装置１８は、例えばインターネット等の広域ネットワーク２０に接続している。広域ネットワーク２０には、電力会社やガス会社等がライフラインメータ１６を遠隔検針するためのサーバ装置２１が接続されている。なお、ゲートウェイ装置１８は、制御装置１３と一体に構成されてもよい。
【００１６】
インターホン回線１９は、広域ネットワーク２０とは異なるインターホン回線プロトコルに従った通信がなされる。そこでは、住戸インターホン親機１１のそれぞれに固有のインターホン回線アドアレスが与えられており、制御装置１３の制御によって、ロビーインターホン１２と、呼び出された住戸インターホン親機１１との間で会話音声や来客映像の伝送がなされる。
【００１７】
インターホンシステム１の基本的な動作は従来と同様である。すなわち、ロビーインターホン１２で住戸番号を指定した呼出がなされると、制御装置１３は、その住戸番号に対応したインターホン回線アドレスを特定し、住戸インターホン親機１１を呼び出す。呼び出された住戸インターホン親機１１で応答操作がなされると、制御装置１３は、その住戸インターホン親機１１とロビーインターホン１２との間で、音声信号と映像信号とを排他的に伝送させる。これにより、住戸インターホン親機１１とロビーインターホン１２との間のみの通話が許容され、ビデオカメラ１７が撮影した映像が、住戸インターホン親機１１の表示部に表示される。
【００１８】
このとき制御装置１３は、住戸インターホン親機１１とロビーインターホン１２との間で通信を中継するが、住戸インターホン親機１１と、制御装置１３とが、送信先を指定して通信することにより、排他的制御が可能になっている。制御装置１３とロビーインターホン１２との通信は、基本的に一対一の通信なので、インターホン回線プロトコル以外の形式で行ってもよい。その場合は、制御装置１３がプロトコルの変換、通信の中継を行う。
【００１９】
なお、住戸インターホン親機１１と、ロビーインターホン１２との通話は、住戸インターホン親機１１で終了操作がなされたとき、あるいは所定時間が経過したときに、制御装置１３によって終了させられる。
【００２０】
次いで、ライフラインメータ１６の遠隔検針における基本的な動作を説明する。
【００２１】
サーバ装置２１は、ライフラインメータ１６のそれぞれの登録番号に対応させて、顧客氏名、住棟番号、部屋番号を含む顧客住所、および広域ネットワーク２０を通じてそのライフラインメータ１６に到達するためのルート情報等が登録された顧客データベースを備えている。ここで、ルート情報は、住戸インターホン親機１１のそれぞれに対応して設けられたアダプタ１５のネットワークアドレスを少なくとも含んでいる。
【００２２】
遠隔検針は、サーバ装置２１からライフラインメータ１６側に検針指令を送信し、その応答として、ライフラインメータ１６側からサーバ装置２１に検針情報を返信する手順でなされる。なお、ライフラインメータ１６側からサーバ装置２１に検針情報を自発的かつ定期的に送信するようにしてもよい。
【００２３】
検針指令は、サーバ装置２１から、送信先として、住戸インターホン親機１１のいずれかに接続されたアダプタ１５のネットワークアドレスが指定されており、所定のネットワークプロトコルで送信される。広域ネットワーク２０は、図示しない複数のルータを含んでいるが、検針指令は、ルータのそれぞれに設定されているルート情報に基づいて次々に転送されて、ゲートウェイ装置１８に到達する。
【００２４】
ゲートウェイ装置１８は、検針指令を受信すると、送信先のネットワークアドレスを読み取り、住棟内に設置されているアダプタ１５のいずれかのネットワークアドレスであれば、その検針指令を、インターホン回線１９に送出する。そのとき、ネットワークプロトコルから、インターホン回線プロトコルへの変換として、検針指令に所定のヘッダまたはフッタを付加する。変換後の検針指令は、送信先として、住戸インターホン親機１１の全てを指定するブロードキャスト用のインターホン回線アドレスを含んでいる。ブロードキャスト用のインターホン回線アドレスは、インターホン回線アドレスの特殊形式である。
【００２５】
このような構成とすれば、ゲートウェイ装置１８は、広域ネットワーク２０から受信した検針指令の送信先のアドレスのみを読み取って、住棟内のインターホン回線１９に送出するか否かを判断できる。また、サーバ装置２１側では、インターホンシステム１の構成、例えば住戸インターホン親機１１のインターホン回線アドレス等を知らなくても、検針指令を生成、送信できるので、システム運用が容易になる。
【００２６】
ゲートウェイ装置１８によってインターホン回線１９に送出された検針指令は、住戸インターホン親機１１の全てが受信する。住戸インターホン親機１１は、プロトコルの変換として、検針指令からインターホン回線プロトコルのヘッダ、フッタを取り除いて、アダプタ１５に出力する。
【００２７】
アダプタ１５は、その検針指令を受信すると、送信先に自己のネットワークアドレスが指定されているか否かを判断し、指定されていれば、ライフラインメータ１６に検針指令を出力する。一方、送信先に自己のネットワークアドレスが指定されていなければ、その検針指令は放棄される。なお、アダプタ１５とライフラインメータ１６との通信のプロトコルは、どのような形式のものでもよい
【００２８】
ライフラインメータ１６は、アダプタ１５からの検針指令を検知すると、その時点における検針データを返信する。アダプタ１５は、その検針データを受け付けると、送信先としてサーバ装置２１のネットワークアドレスを指定した検針情報を生成して、住戸インターホン親機１１に送信する。
【００２９】
住戸インターホン親機１１は、アダプタ１５から受信した検針情報を、インターホン回線プロトコルのヘッダ、フッタを付加してインターホン回線１９に送出するとともに、その時点の日時情報に関連させて、記憶部１１ｆに蓄積する。インターホン回線１９に送出された検針情報は、送信先としてゲートウェイ装置１８のインターホン回線アドレスを含んでいる。なお、住戸インターホン親機１１は、検針指令を受けたときだけでなく、所望のタイミングで、ライフラインメータ１６から検針情報を自発的に読み出して記憶してもよい。
【００３０】
ゲートウェイ装置１８は、その検針情報をインターホン回線１９から受信すると、その検針情報からインターホン回線プロトコルのヘッダ、フッタを取り除くことにより、ネットワークプロトコルに変換して、広域ネットワーク２０に送出する。
【００３１】
広域ネットワーク２０に出力された検針情報は、送信先としてサーバ装置２１のネットワークアドレスが指定されているので、複数のルータにより次々と転送されて、サーバ装置２１に到達する。サーバ装置２１は、その検針情報を読み取り、課金データベース等に蓄積する等の処理を行う。
【００３２】
一方、住戸インターホン親機１１は、検針情報を記憶部１１ｆに蓄積したあと、所定の操作を受け付けると、蓄積している検針情報から算出したライフラインの使用量を表示部１１ｃに表示する。このとき、使用量に基づいた課金額も同時に表示するのが望ましい。このようにすれば、住戸インターホン親機１１の操作だけで、ライフラインの使用量が確認できるので、非常に便利である。
【００３３】
また、ライフラインメータ１６から読み出した検針情報から使用量を算出しているので、非常に正確な値が表示できる。そして、電力メータ等の装置を別途用意する必要がないので、コストも抑えられる。
【００３４】
住戸インターホン親機１１がライフラインの使用量を算出する際には、蓄積している検針情報に所定の統計処理を施すようにするとよい。例えば、基本的な処理として、月間、週間等、所定期間の通算使用量や、平均使用量の算出がある。また、その算出結果をグラフ化してもよい。なお、記憶部１１ｆには容量の制限があるので、例えば直近の１年分の検針情報を保持するようにして、期限を過ぎたものは自動的に削除していけばよい。
【００３５】
このような統計処理を施せば、単に使用量が表示されるだけの構成よりも、はるかに多くの情報が得られる。たとえば、居住者は使用量の季節的な変化等を知ることができ、省エネに役立てる等も可能になる。
【００３６】
なお、上記動作では、アダプタ１５に広域ネットワーク２０のネットワークアドレスが割り当てられているが、アダプタ１５にはライフラインメータ１６の識別情報を割り当ててもよい。この場合、サーバ装置２１は、送信先としてゲートウェイ装置１８のネットワークアドレスを指定した検針指令を送信する。このとき、検針指令の内部に、そのような識別情報を含ませておけば、アダプタ１５は、その検針指令が自己宛のものか否か判別できる。また、アダプタ１５がサーバ装置２１に返信する検針情報に、そのような識別情報を含ませておけば、サーバ装置２１は、その検針情報がどのライフラインメータ１６のものか判断できる。なお、識別情報の形式に特段の制限はなく、登録番号、特定桁数の数字、あるいは住棟番号と部屋番号との組み合わせ等にしてもよい。
【００３７】
次いで、本発明の要部である住戸インターホン親機１１、アダプタ１５、ライフラインメータ１６、ゲートウェイ装置１８の構成を説明する。
【００３８】
図２に示した住戸インターホン親機１１は、制御装置１３やゲートウェイ装置１８と通信するインターホン通信部１１ａと、ロビーインターホン１２との間で通話処理を行う通話部１１ｂと、来客映像を表示する表示部１１ｃとを備えている。そして、住戸インターホン親機１１は、アダプタ１５と通信するネットワーク通信部１１ｄと、ネットワークプロトコルとインターホン回線プロトコルとを相互に変換するプロトコル変換部１８ｅを更に備えている。
【００３９】
また、住戸インターホン親機１１は、検針情報を蓄積する記憶部１１ｆと、記憶部１１ｆに蓄積された検針情報に所定の統計処理や課金額を算出し、ライフラインの使用量、課金額の表示画面を生成する画面生成部１１ｇと、操作部１１ｈとを更に備えている。ここで、画面生成部１１ｇは、ウェブサーバによって構成し、表示画面をホームページとして生成してもよい。その場合、表示部１１ｃが、そのウェブサーバからホームページ情報を読み出すためのブラウザ機能を備える。
【００４０】
アダプタ１５は、ネットワークプロトコルを処理し、住戸インターホン親機１１と通信するネットワーク通信部１５ａと、ライフラインメータ１６を制御するメータ制御部１５ｂとを備えている。
【００４１】
ライフラインメータ１６は、アダプタ１５と通信する制御部１６ａと、ライフラインの使用量等を表示する表示部１６ｂと、ライフラインを遮断する遮断部１６ｃを備えている。
【００４２】
図３に示したゲートウェイ装置１８は、広域ネットワーク２０を通じてサーバ装置２１等と通信するネットワーク通信部１８ａと、インターホン回線１９を通じて住戸インターホン親機１１等と通信するインターホン回線通信部１８ｂとを備えている。ネットワークプロトコルとインターホン回線プロトコルは、プロトコル変換部１８ｃによって、相互に変換される。
【００４３】
図４は、ライフラインメータ１６の遠隔検針における基本的な通信手順を時系列的に示している。
【００４４】
検針指令は、サーバ装置２１とゲートウェイ装置１８との間の広域ネットワーク２０では、ネットワークプロトコルで伝送される。このとき、検針指令のヘッダは、送信先として、アダプタ１５のネットワークアドレスを含んでいる。ゲートウェイ装置１８では、ネットワークプロトコルからインターホン回線プロトコルへの変換がなされ、インターホン回線１９では、インターホン回線プロトコルで伝送される。このとき、検針指令のヘッダは、送信先として、ブロードキャスト用インターホン回線アドレスを含んでいる。住戸インターホン親機１１では、インターホン回線プロトコルからネットワークプロトコルへの変換がなされ、住戸インターホン親機１１とアダプタ１５の間では、ネットワークプロトコルで伝送される。アダプタ１５では、ネットワークプロトコルから任意形式に変換され、変換後の検針指令がライフラインメータ１６に伝送される。
【００４５】
一方、ライフラインメータ１６が送出した検針データは、アダプタ１５で、ネットワークプロトコルの検針情報に変換され、アダプタ１５と住戸インターホン親機１１との間では、ネットワークプロトコルで伝送される。このとき、検針情報のヘッダは、送信先として、サーバ装置２１のネットワークアドレスを含んでいる。住戸インターホン親機１１では、ネットワークプロトコルからインターホン回線プロトコルへの変換がなされるとともに、検針情報が日時情報と共に記憶部１１ｆに蓄積される。住戸インターホン親機１１から送出された検針情報は、インターホン回線１９では、インターホン回線プロトコルで伝送される。このとき、検針情報のヘッダは、送信先として、ゲートウェイ装置１８のインターホン回線アドレスを含んでいる。ゲートウェイ装置１８では、インターホン回線プロトコルからネットワークプロトコルへの変換がなされ、広域ネットワーク２０では、ネットワークプロトコルで伝送される。
【００４６】
図５は、ライフラインの使用量の表示例である。この画面は表示部１１ｃに表示され、消費電力を月次に集計した棒グラフによって過去１年間の消費電力の移り変わりを示している。画面上部には、当月の消費電力、課金額が数値表示されており、中央部には月次使用量が棒グラフ表示されている。画面下部は、年間、月間、週間使用電力の表示切換えキーと、表示を終了させるための終了キーが表示されている。キー部分はタッチパネルとして、触るだけで操作できるようにするとよい。
【符号の説明】
【００４７】
１        集合住宅用インターホンシステム
１１      住戸インターホン親機
１１ｆ    記憶部
１２      ロビーインターホン
１３      制御装置
１５      アダプタ
１６      ライフラインメータ
１８      ゲートウェイ装置
１９      インターホン回線
２０      広域ネットワーク
【図１】
2012015944.tif 000003
【図２】
2012015944.tif 000004
【図３】
2012015944.tif 000005
【図４】
2012015944.tif 000006
【図５】
2012015944.tif 000007